(57)【要約】      （修正有）【課題】部材を追加することなく、面押しボタンの傾きを抑え、位置決め精度を上げることができ、面押し部が前面パネルの貫通孔からずれて配置されるのを防ぐことができるそれだけ、取り付け作業の手間を省き、短時間に製造することができる面押しボタン及び面押しボタンを用いた電子機器を提供する。【解決手段】前面パネル２の貫通孔２１から貫通する面押し部１１と、面押し部１１と一体的に連結するスイッチ押圧部１２と、スイッチ押圧部１２に取り付けられた支持部と、スイッチ押圧部１２の支持部の反対側に取り付けられたリブ１４とを備えている面押しボタン１。【選択図】図２
0003110012.tif 000002
【実用新案登録請求の範囲】
【請求項１】
複数の貫通孔が形成された前面パネルと、傾くことでスイッチを押圧する複数個の面押
しボタンとを有する電子機器であって、
一部が前記前面パネルの貫通孔から露出する複数の面押し部と、
前記面押し部と一体に形成される複数のスイッチ押圧部と、
前記スイッチ押圧部に垂直に取り付けられ、前記複数の面押し部及び前記複数のスイッ
チ押圧部とを並んで支持するとともに連結する支持部と、
前記支持部の前記スイッチ押圧部が取り付けられていない部分には前記スイッチ押圧部
と並んで配置され、前記前面パネルの背面に接触する傾き防止部とを有し、
前記支持部は前記前面パネルの背面に形成されたボスが貫通する複数のボス孔と、前記
スイッチ押圧部と前記ボス孔とを連結し弾性力を調整する貫通孔が形成された第１ヒンジ
とを有し、
前記各スイッチ押圧部の前記支持部が連結するのと反対側に、前記前面パネルの背面と
接触するパネル接触部と、前記パネル接触部と前記スイッチ押圧部とを連結し弾性力を調
整する貫通孔を備えた第２ヒンジとを有するリブを設けたことを特徴とする電子機器。
【請求項２】
複数個の貫通孔が形成された前面パネルと、スイッチを押圧する複数個の面押しボタン
とを有する電子機器であって、
一部が前記前面パネルの貫通孔から露出する複数の面押し部と、
前記面押し部と一体に形成され、前記面押し部と反対側の端部でスイッチを押圧する複
数のスイッチ押圧部と、
前記スイッチ押圧部に垂直に取り付けられ、前記複数の面押し部及び前記複数のスイッ
チ押圧部とを並んで支持するとともに連結する支持部と、
前記支持部の前記スイッチ押圧部が取り付けられていない部分には前記スイッチ押圧部
と並んで配置され、前記前面パネルの背面に接触する傾き防止部とを有し、
前記支持部は前記前面パネルの背面に形成されたボスが貫通する複数のボス孔と、前記
スイッチ押圧部と前記ボス孔とを連結し弾性力を調整する貫通孔が形成された第１ヒンジ
とを有し、
前記各スイッチ押圧部の前記支持部が連結するのと反対側に、前記前面パネルの背面と
接触するパネル接触部と、前記パネル接触部と前記スイッチ押圧部とを連結し弾性力を調
整する貫通孔を備えた第２ヒンジとを有するリブを設けたことを特徴とする電子機器。
【請求項３】
１個又は複数個の貫通孔が形成された前面パネルと、スイッチを押圧する複数個の面押
しボタンとを有する電子機器であって、
一部が前記前面パネルの貫通孔から露出する１個又は複数個の面押し部と、
前記面押し部と一体に形成される１個又は複数個のスイッチ押圧部と、
前記スイッチ押圧部に垂直に取り付けられ、前記１個又は複数個の面押し部及び前記１
個又は複数個のスイッチ押圧部と支持する支持部と、
前記支持部は前記前面パネルの背面に形成されたボスが貫通する１個又は複数個のボス
孔と、前記スイッチ押圧部と前記ボス孔とを連結し弾性力を調整する貫通孔が形成された
第１ヒンジとを有し、
前記各スイッチ押圧部の前記支持部が連結するのと反対側に、前記前面パネルの背面と
接触するパネル接触部と、前記パネル接触部と前記スイッチ押圧部とを連結し弾性力を調
整する貫通孔を備えた第２ヒンジとを有するリブを設けたことを特徴とする電子機器。
【請求項４】
貫通孔が形成された前面パネルと、スイッチを押圧する複数個の面押しボタンとを有す
る電子機器であって、
一部が前記前面パネルの貫通孔から露出する１個又は複数個の面押し部と、
前記面押し部と一体に形成され、前記面押し部と反対側の端部でスイッチを押圧する１
個又は複数個のスイッチ押圧部と、
前記スイッチ押圧部に垂直に取り付けられ、前記１個又は複数個の面押し部及び前記１
個又は複数個のスイッチ押圧部と支持する支持部と、
前記支持部は前記前面パネルの背面に形成されたボスが貫通する１個又は複数個のボス
孔と、前記スイッチ押圧部と前記ボス孔とを連結し弾性力を調整する貫通孔が形成された
第１ヒンジとを有し、
前記各スイッチ押圧部の前記支持部が連結するのと反対側に、前記前面パネルの背面と
接触するパネル接触部と、前記パネル接触部と前記スイッチ押圧部とを連結し弾性力を調
整する貫通孔を備えた第２ヒンジとを有するリブを設けたことを特徴とする電子機器。
【請求項５】
複数の貫通孔が形成された前面パネルを有する電子機器において、
一部が前面パネルの貫通孔から露出する複数の面押し部と、
前記面押し部と一体に形成され、傾くことでスイッチを押圧する複数のスイッチ押圧部
と、
前記スイッチ押圧部に垂直に取り付けられ、前記複数の面押し部及び前記複数のスイッ
チ押圧部とを並んで支持するとともに連結する支持部と、
前記支持部の前記スイッチ押圧部が取り付けられていない部分には前記スイッチ押圧部
と並んで配置され、前記前面パネルの背面に接触する傾き防止部とを有し、
前記支持部は前記前面パネルの背面に形成されたボスが貫通する複数のボス孔と、前記
スイッチ押圧部と前記ボス孔とを連結し弾性力を調整する貫通孔が形成された第１ヒンジ
とを有し、
前記各スイッチ押圧部の前記支持部が連結するのと反対側に、前記前面パネルの背面と
接触するパネル接触部と、前記パネル接触部と前記スイッチ押圧部とを連結し弾性力を調
整する貫通孔を備えた第２ヒンジとを有するリブを設けたことを特徴とする面押しボタン
。
【請求項６】
複数の貫通孔が形成された前面パネルを有する電子機器において、
一部が前記前面パネルの貫通孔から露出する複数の面押し部と、
前記面押し部と一体に形成され、前記面押し部と反対側の端部でスイッチを押圧する複
数のスイッチ押圧部と、
前記スイッチ押圧部に垂直に取り付けられ、前記複数の面押し部及び前記複数のスイッ
チ押圧部とを並んで支持するとともに連結する支持部と、
前記支持部の前記スイッチ押圧部が取り付けられていない部分には前記スイッチ押圧部
と並んで配置され、前記前面パネルの背面に接触する傾き防止部とを有し、
前記支持部は前記前面パネルの背面に形成されたボスが貫通する複数のボス孔と、前記
スイッチ押圧部と前記ボス孔とを連結し弾性力を調整する貫通孔が形成された第１ヒンジ
とを有し、
前記各スイッチ押圧部の前記支持部が連結するのと反対側に、前記前面パネルの背面と
接触するパネル接触部と、前記パネル接触部と前記スイッチ押圧部とを連結し弾性力を調
整する貫通孔を備えた第２ヒンジとを有するリブを設けたことを特徴とする面押しボタン
。
【請求項７】
複数の貫通孔が形成された前面パネルを有する電子機器において、
一部が前面パネルの貫通孔から露出する複数の面押し部と、
前記面押し部と一体に形成され、傾くことでスイッチを押圧する複数のスイッチ押圧部
と、
前記スイッチ押圧部に垂直に取り付けられ、前記複数の面押し部及び前記複数のスイッ
チ押圧部とを並んで支持するとともに連結する支持部と、
前記支持部の前記スイッチ押圧部が取り付けられていない部分には前記スイッチ押圧部
と並んで配置され、前記前面パネルの背面に接触する傾き防止部とを有し、
前記支持部は前記前面パネルの背面に形成されたボスが貫通する複数のボス孔と、前記
スイッチ押圧部と前記ボス孔とを連結し弾性力を調整する貫通孔が形成された第１ヒンジ
とを有し、
前記各スイッチ押圧部の前記支持部が連結するのと反対側に、前記前面パネルの背面と
接触するパネル接触部と、前記パネル接触部と前記スイッチ押圧部とを連結し弾性力を調
整する薄肉部を有する第２ヒンジとを有するリブを設けたことを特徴とする面押しボタン
。
【請求項８】
複数の貫通孔が形成された前面パネルを有する電子機器において、
一部が前記前面パネルの貫通孔から露出する複数の面押し部と、
前記面押し部と一体に形成され、前記面押し部と反対側の端部でスイッチを押圧する複
数のスイッチ押圧部と、
前記スイッチ押圧部に垂直に取り付けられ、前記複数の面押し部及び前記複数のスイッ
チ押圧部とを並んで支持するとともに連結する支持部と、
前記支持部の前記スイッチ押圧部が取り付けられていない部分には前記スイッチ押圧部
と並んで配置され、前記前面パネルの背面に接触する傾き防止部とを有し、
前記支持部は前記前面パネルの背面に形成されたボスが貫通する複数のボス孔と、前記
スイッチ押圧部と前記ボス孔とを連結し弾性力を調整する貫通孔が形成された第１ヒンジ
とを有し、
前記各スイッチ押圧部の前記支持部が連結するのと反対側に、前記前面パネルの背面と
接触するパネル接触部と、前記パネル接触部と前記スイッチ押圧部とを連結し弾性力を調
整する薄肉部を有する第２ヒンジとを有するリブを設けたことを特徴とする面押しボタン
。
【請求項９】
１個又は複数個の貫通孔が形成された前面パネルを有する電子機器において、
一部が前記前面パネルの貫通孔から露出する１個又は複数個の面押し部と、
前記面押し部と一体に形成され、傾くことでスイッチを押圧する１個又は複数個のスイ
ッチ押圧部と、
前記スイッチ押圧部に垂直に取り付けられ、前記１個又は複数個の面押し部及び前記１
個又は複数個のスイッチ押圧部と支持する支持部と、
前記支持部は前記前面パネルの背面に形成されたボスが貫通する１個又は複数個のボス
孔と、前記スイッチ押圧部と前記ボス孔とを連結し弾性力を調整する貫通孔が形成された
第１ヒンジとを有し、
前記各スイッチ押圧部の前記支持部が連結するのと反対側に、前記前面パネルの背面と
接触するパネル接触部と、前記パネル接触部と前記スイッチ押圧部とを連結し弾性力を調
整する貫通孔を備えた第２ヒンジとを有するリブを設けたことを特徴とする面押しボタン
。
【請求項１０】
１個又は複数個の貫通孔が形成された前面パネルを有する電子機器であって、
一部が前記前面パネルの貫通孔から露出する１個又は複数個の面押し部と、
前記面押し部と一体に形成され、前記面押し部と反対側の端部でスイッチを押圧する１
個又は複数個のスイッチ押圧部と、
前記スイッチ押圧部に垂直に取り付けられ、前記１個又は複数個の面押し部及び前記１
個又は複数個のスイッチ押圧部とを支持する支持部と、
前記支持部は前記前面パネルの背面に形成されたボスが貫通する１個又は複数個のボス
孔と、前記スイッチ押圧部と前記ボス孔とを連結し弾性力を調整する貫通孔が形成された
第１ヒンジとを有し、
前記各スイッチ押圧部の前記支持部が連結するのと反対側に、前記前面パネルの背面と
接触するパネル接触部と、前記パネル接触部と前記スイッチ押圧部とを連結し弾性力を調
整する貫通孔を備えた第２ヒンジとを有するリブを設けたことを特徴とする面押しボタン
。
【請求項１１】
１個又は複数個の貫通孔が形成された前面パネルを有する電子機器において、
一部が前記前面パネルの貫通孔から露出する１個又は複数個の面押し部と、
前記面押し部と一体に形成され、傾くことでスイッチを押圧する１個又は複数個のスイ
ッチ押圧部と、
前記スイッチ押圧部に垂直に取り付けられ、前記１個又は複数個の面押し部及び前記１
個又は複数個のスイッチ押圧部と支持する支持部と、
前記支持部は前記前面パネルの背面に形成されたボスが貫通する１個又は複数個のボス
孔と、前記スイッチ押圧部と前記ボス孔とを連結し弾性力を調整する貫通孔が形成された
第１ヒンジとを有し、
前記各スイッチ押圧部の前記支持部が連結するのと反対側に、前記前面パネルの背面と
接触するパネル接触部と、前記パネル接触部と前記スイッチ押圧部とを連結し弾性力を調
整する薄肉部を有する第２ヒンジとを有するリブを設けたことを特徴とする面押しボタン
。
【請求項１２】
１個又は複数個の貫通孔が形成された前面パネルを有する電子機器であって、
一部が前記前面パネルの貫通孔から露出する１個又は複数個の面押し部と、
前記面押し部と一体に形成され、前記面押し部と反対側の端部でスイッチを押圧する１
個又は複数個のスイッチ押圧部と、
前記スイッチ押圧部に垂直に取り付けられ、前記１個又は複数個の面押し部及び前記１
個又は複数個のスイッチ押圧部とを支持する支持部と、
前記支持部は前記前面パネルの背面に形成されたボスが貫通する１個又は複数個のボス
孔と、前記スイッチ押圧部と前記ボス孔とを連結し弾性力を調整する貫通孔が形成された
第１ヒンジとを有し、
前記各スイッチ押圧部の前記支持部が連結するのと反対側に、前記前面パネルの背面と
接触するパネル接触部と、前記パネル接触部と前記スイッチ押圧部とを連結し弾性力を調
整する薄肉部を有する第２ヒンジとを有するリブを設けたことを特徴とする面押しボタン
。
【考案の詳細な説明】
【技術分野】
【０００１】
本考案は、面押しボタン及びこれを備えた音響機器、映像機器等の電子機器に関するも
のである。
【背景技術】
【０００２】
音響機器、映像機器等の電子機器は、前面に前記電子機器の操作を行うための面押しボ
タンを多数備えているものが多い。前記電子機器では、例えば該電子機器がビデオテープ
レコーダの場合、前記面押しボタンを押すことで、再生、停止、早送り、巻き戻し、録画
等の操作を行うことができる。
【０００３】
図４に従来の面押しボタンの断面図を示す。図４に示す面押しボタン９１は、電子機器
（ここではＶＴＲ）の前面パネル９２に取り付けられるものであり、前面パネル９２に形
成された貫通孔９２１を貫通する面押し部９１１と、面押し部９１１と一体に形成される
スイッチ押圧部９１２と、スイッチ押圧部９１２と接続し面押し部９１１及びスイッチ押
圧部９１２とを片持ち支持する支持部９１３とを有している。
【０００４】
また、面押しボタン９１のスイッチ押圧部９１２の下方には基板９３が配置されており
、スイッチ押圧部９１２の下方に、スイッチ９４が配置されている。スイッチ９４は基板
９３上に実装されており、スイッチ９４とスイッチ押圧部９１２との間はわずかな隙間が
形成されている。
【０００５】
支持部９１３は、前面パネル９２の背面９２０に形成されたボス９２２と嵌合するボス
孔９１４と、ボス孔９１４とスイッチ押圧部９１２とを接続するヒンジ部９１５とを備え
ている。ボス孔９１４をボス９２２に外嵌し、ボス９２２の先端をボス孔９１４に溶着す
ることで、面押しボタン９１は前面パネル９２に固定される。
【０００６】
面押しボタン９１は面押し部９１１を押すことで支持部９１３のヒンジ部９１５がたわ
み、スイッチ押圧部９１２の端部が下方に沈む。スイッチ押圧部９１２の端部の沈み方向
にはスイッチ９４が配置されており、スイッチ押圧部９１２が下方に沈むことでスイッチ
９４がスイッチ押圧部９１２に押される。
【０００７】
特開2000-315443号公報に記載の発明は、釦操作部から下方に向けて突設したボスが押
し釦スイッチを押す構成になっており、ヒンジ部に支持され、前記釦操作部が押されたと
きの、ボスの押下量を制限するストッパが備えられているものを示している。
【０００８】
特開平11-126538号公報に記載の発明は、支点部にて片持ち支持される操作ボタンが示
されており、前記操作ボタンの押圧方向とスイッチの押圧方向が同じものである。
【特許文献１】特開２０００−３１５４４３号公報
【特許文献２】特開平１１−１２６５３８号公報
【考案の開示】
【考案が解決しようとする課題】
【０００９】
しかしながら、面押しボタン９１を支持部９１３にて片持ち支持する場合、支持部９１
３のヒンジ部９１５はたわみやすいので、面押しボタン９１の面押し部９１１とスイッチ
押圧部９１２とをバランスよく支持するのは非常に困難である。さらに詳しく説明すると
、面押し部９１には先端を光らせるためのＬＥＤが配置されていたり（図示を省略）、外
部に露出するために塗装が施されていたりするので、スイッチ押圧部９１２よりも重くな
っていることが多く、面押しボタン９１は面押し部９１１の方に傾くことが多い。
【００１０】
面押しボタン９１が面押し部９１１側に傾くと、面押し部９１１の中心と前面パネル９
２の貫通孔９２１の中心とがずれる。さらに隣り合う面押し部９１１同士の中心位置が互
いにずれるので、電子機器（ＶＴＲ）の意匠性が損なわれることが多い。また、図４に示
す面押しボタン９１は下部に形成されている支持部９１３だけで支持されているので、取
り付け時の位置決めが難しい。
【００１１】
そこで、図５に示すように複数の面押しボタン９１の下部（ヒンジ部９１５）を連結す
る支持部９１６と、支持部９１６から延びる前面パネル９２を押さえる傾き防止部９１７
が備えられているものが考案されている。傾き防止部９１７が前面パネル９２を押すこと
で面押しボタン９１をスイッチ押圧部９１２側に押して支持しているので、面押しボタン
９１が面押し部９１１側に傾くのを防ぐ。
【００１２】
しかしながら、前面パネル９２に配置される面押しボタン９１は近くに密集して配置さ
れることが多く、傾き防止部９１７を適切に配置することができず、傾き防止部９５４か
ら遠い位置に配置された面押しボタン９５は傾き防止部９１７の効果が小さくなる。また
、前面パネル９２の背面９２０は多くの部材が配置されることが多く、手狭であり、傾き
防止部９１７を配置することができない場合も多い。
【００１３】
そこで、本考案は部材を追加することなく、面押しボタンの傾きを抑え、面押し部が前
面パネルの貫通孔からずれて配置されるのを防ぐことができる面押しボタン及び面押しボ
タンを用いた電子機器を提供することを目的とする。
【００１４】
また、本考案は部材を追加することなく、位置決め精度を上げることができ、それだけ
、取り付け作業の手間を省き、短時間に製造することができる面押しボタン及び面押しボ
タンを用いた電子機器を提供することを目的とする。
【課題を解決するための手段】
【００１５】
上記目的を達成するために本考案は、複数の貫通孔が形成された前面パネルと、傾くこ
とでスイッチを押圧する複数個の面押しボタンとを有する電子機器であって、一部が前記
前面パネルの貫通孔から露出する複数の面押し部と、前記面押し部と一体に形成される複
数のスイッチ押圧部と、前記スイッチ押圧部に垂直に取り付けられ、前記複数の面押し部
及び前記複数のスイッチ押圧部とを並んで支持するとともに連結する支持部と、前記支持
部の前記スイッチ押圧部が取り付けられていない部分には前記スイッチ押圧部と並んで配
置され、前記前面パネルの背面に接触する傾き防止部とを有し、前記支持部は前記前面パ
ネルの背面に形成されたボスが貫通する複数のボス孔と、前記スイッチ押圧部と前記ボス
孔とを連結し弾性力を調整する貫通孔が形成された第１ヒンジとを有し、前記各スイッチ
押圧部の前記支持部が連結するのと反対側に、前記前面パネルの背面と接触するパネル接
触部と、前記パネル接触部と前記スイッチ押圧部とを連結し弾性力を調整する貫通孔を備
えた第２ヒンジとを有するリブを設けたことを特徴とする。
【００１６】
この構成によると、複数の面押しボタンを支持部にて連結して取り付けられるとともに
、傾き防止部、リブによって面押し部側に傾くのを防ぐことができる。このことにより、
前記面押しボタンの傾きによる、前記面押し部と前記前面パネルの貫通孔の中心がずれる
のを抑制することができる。また、隣り合う面押し部同士の並び位置がずれるのを抑制す
ることができる。
【００１７】
以上により、特殊な部材を追加することなく、前記面押しボタンの傾きを抑制すること
ができるので、前記前面パネルの意匠性を高めることができる。また、前記リブに貫通孔
を設けて弾性力を調整しているので、前記面押しボタンが元に戻るときに前記前面パネル
の背面への衝撃を緩衝することができ、それだけ、前記面押しボタンの破損、破壊等を防
ぎ、耐久性を上げることができる。
【００１８】
上記目的を達成するために本考案は、複数個の貫通孔が形成された前面パネルと、スイ
ッチを押圧する複数個の面押しボタンとを有する電子機器であって、一部が前記前面パネ
ルの貫通孔から露出する複数の面押し部と、前記面押し部と一体に形成され、前記面押し
部と反対側の端部でスイッチを押圧する複数のスイッチ押圧部と、前記スイッチ押圧部に
垂直に取り付けられ、前記複数の面押し部及び前記複数のスイッチ押圧部とを並んで支持
するとともに連結する支持部と、前記支持部の前記スイッチ押圧部が取り付けられていな
い部分には前記スイッチ押圧部と並んで配置され、前記前面パネルの背面に接触する傾き
防止部とを有し、  前記支持部は前記前面パネルの背面に形成されたボスが貫通する複数
のボス孔と、前記スイッチ押圧部と前記ボス孔とを連結し弾性力を調整する貫通孔が形成
された第１ヒンジとを有し、前記各スイッチ押圧部の前記支持部が連結するのと反対側に
、前記前面パネルの背面と接触するパネル接触部と、前記パネル接触部と前記スイッチ押
圧部とを連結し弾性力を調整する貫通孔を備えた第２ヒンジとを有するリブを設けたこと
を特徴とする。
【００１９】
この構成によると、複数の面押しボタンを支持部にて連結して取り付けられるとともに
、傾き防止部、リブによって面押し部側に傾くのを防ぐことができる。このことにより、
前記面押しボタンの傾きによる、前記面押し部と前記前面パネルの貫通孔の中心がずれる
のを抑制することができる。また、隣り合う面押し部同士の並び位置がずれるのを抑制す
ることができる。
【００２０】
以上により、特殊な部材を追加することなく、前記面押しボタンの傾きを抑制すること
ができるので、前記前面パネルの意匠性を高めることができる。また、前記リブに貫通孔
を設けて弾性力を調整しているので、前記面押しボタンが元に戻るときに前記前面パネル
の背面への衝撃を緩衝することができ、それだけ、前記面押しボタンの破損、破壊等を防
ぎ、耐久性を上げることができる。
【００２１】
上記目的を達成するために本考案は、１個又は複数個の貫通孔が形成された前面パネル
と、スイッチを押圧する複数個の面押しボタンとを有する電子機器であって、一部が前記
前面パネルの貫通孔から露出する１個又は複数個の面押し部と、前記面押し部と一体に形
成される１個又は複数個のスイッチ押圧部と、前記スイッチ押圧部に垂直に取り付けられ
、前記１個又は複数個の面押し部及び前記１個又は複数個のスイッチ押圧部と支持する支
持部と、前記支持部は前記前面パネルの背面に形成されたボスが貫通する１個又は複数個
のボス孔と、前記スイッチ押圧部と前記ボス孔とを連結し弾性力を調整する貫通孔が形成
された第１ヒンジとを有し、前記各スイッチ押圧部の前記支持部が連結するのと反対側に
、前記前面パネルの背面と接触するパネル接触部と、前記パネル接触部と前記スイッチ押
圧部とを連結し弾性力を調整する貫通孔を備えた第２ヒンジとを有するリブを設けたこと
を特徴とする。
【００２２】
この構成によると、前記リブによって前記面押しボタンが面押し部側に傾くのを防ぐこ
とができる。このことにより、前記面押しボタンの傾きによる、前記面押し部と前記前面
パネルの貫通孔の中心がずれるのを抑制することができる。また、隣り合う面押し部同士
の並び位置がずれるのを抑制することができる。
【００２３】
以上により、特殊な部材を追加することなく、前記面押しボタンの傾きを抑制すること
ができるので、前記前面パネルの意匠性を高めることができる。また、前記リブに貫通孔
を設けて弾性力を調整しているので、前記面押しボタンが元に戻るときに前記前面パネル
の背面への衝撃を緩衝することができ、それだけ、前記面押しボタンの破損、破壊等を防
ぎ、耐久性を上げることができる。
【００２４】
上記目的を達成するために本考案は、貫通孔が形成された前面パネルと、スイッチを押
圧する複数個の面押しボタンとを有する電子機器であって、一部が前記前面パネルの貫通
孔から露出する１個又は複数個の面押し部と、前記面押し部と一体に形成され、前記面押
し部と反対側の端部でスイッチを押圧する１個又は複数個のスイッチ押圧部と、前記スイ
ッチ押圧部に垂直に取り付けられ、前記１個又は複数個の面押し部及び前記１個又は複数
個のスイッチ押圧部と支持する支持部と、前記支持部は前記前面パネルの背面に形成され
たボスが貫通する１個又は複数個のボス孔と、前記スイッチ押圧部と前記ボス孔とを連結
し弾性力を調整する貫通孔が形成された第１ヒンジとを有し、前記各スイッチ押圧部の前
記支持部が連結するのと反対側に、前記前面パネルの背面と接触するパネル接触部と、前
記パネル接触部と前記スイッチ押圧部とを連結し弾性力を調整する貫通孔を備えた第２ヒ
ンジとを有するリブを設けたことを特徴とする。
【００２５】
この構成によると、前記リブによって前記面押しボタンが面押し部側に傾くのを防ぐこ
とができる。このことにより、前記面押しボタンの傾きによる、前記面押し部と前記前面
パネルの貫通孔の中心がずれるのを抑制することができる。また、隣り合う面押し部同士
の並び位置がずれるのを抑制することができる。
【００２６】
以上により、特殊な部材を追加することなく、前記面押しボタンの傾きを抑制すること
ができるので、前記前面パネルの意匠性を高めることができる。また、前記リブに貫通孔
を設けて弾性力を調整しているので、前記面押しボタンが元に戻るときに前記前面パネル
の背面への衝撃を緩衝することができ、それだけ、前記面押しボタンの破損、破壊等を防
ぎ、耐久性を上げることができる。
【００２７】
上記目的を達成するために本考案は、複数の貫通孔が形成された前面パネルを有する電
子機器において、一部が前面パネルの貫通孔から露出する複数の面押し部と、前記面押し
部と一体に形成され、傾くことでスイッチを押圧する複数のスイッチ押圧部と、前記スイ
ッチ押圧部に垂直に取り付けられ、前記複数の面押し部及び前記複数のスイッチ押圧部と
を並んで支持するとともに連結する支持部と、前記支持部の前記スイッチ押圧部が取り付
けられていない部分には前記スイッチ押圧部と並んで配置され、前記前面パネルの背面に
接触する傾き防止部とを有し、前記支持部は前記前面パネルの背面に形成されたボスが貫
通する複数のボス孔と、前記スイッチ押圧部と前記ボス孔とを連結し弾性力を調整する貫
通孔が形成された第１ヒンジとを有し、前記各スイッチ押圧部の前記支持部が連結するの
と反対側に、前記前面パネルの背面と接触するパネル接触部と、前記パネル接触部と前記
スイッチ押圧部とを連結し弾性力を調整する貫通孔を備えた第２ヒンジとを有するリブを
設けたことを特徴とする面押しボタンを提供する。
【００２８】
この構成によると、複数の面押しボタンを支持部にて連結して取り付けられるとともに
、傾き防止部、リブによって面押し部側に傾くのを防ぐことができる。このことにより、
前記面押しボタンの傾きによる、前記面押し部と前記前面パネルの貫通孔の中心がずれる
のを抑制することができる。また、隣り合う面押し部同士の並び位置がずれるのを抑制す
ることができる。
【００２９】
以上により、特殊な部材を追加することなく、前記面押しボタンの傾きを抑制すること
ができるので、前記前面パネルの意匠性を高めることができる。また、前記リブに貫通孔
を設けて弾性力を調整しているので、前記面押しボタンが元に戻るときに前記前面パネル
の背面への衝撃を緩衝することができ、それだけ、前記面押しボタンの破損、破壊等を防
ぎ、耐久性を上げることができる。
【００３０】
上記目的を達成するために本考案は、複数の貫通孔が形成された前面パネルを有する電
子機器において、一部が前記前面パネルの貫通孔から露出する複数の面押し部と、前記面
押し部と一体に形成され、前記面押し部と反対側の端部でスイッチを押圧する複数のスイ
ッチ押圧部と、前記スイッチ押圧部に垂直に取り付けられ、前記複数の面押し部及び前記
複数のスイッチ押圧部とを並んで支持するとともに連結する支持部と、前記支持部の前記
スイッチ押圧部が取り付けられていない部分には前記スイッチ押圧部と並んで配置され、
前記前面パネルの背面に接触する傾き防止部とを有し、前記支持部は前記前面パネルの背
面に形成されたボスが貫通する複数のボス孔と、前記スイッチ押圧部と前記ボス孔とを連
結し弾性力を調整する貫通孔が形成された第１ヒンジとを有し、前記各スイッチ押圧部の
前記支持部が連結するのと反対側に、前記前面パネルの背面と接触するパネル接触部と、
前記パネル接触部と前記スイッチ押圧部とを連結し弾性力を調整する貫通孔を備えた第２
ヒンジとを有するリブを設けたことを特徴とする面押しボタンを提供する。
【００３１】
この構成によると、複数の面押しボタンを支持部にて連結して取り付けられるとともに
、傾き防止部、リブによって面押し部側に傾くのを防ぐことができる。このことにより、
前記面押しボタンの傾きによる、前記面押し部と前記前面パネルの貫通孔の中心がずれる
のを抑制することができる。また、隣り合う面押し部同士の並び位置がずれるのを抑制す
ることができる。
【００３２】
以上により、特殊な部材を追加することなく、前記面押しボタンの傾きを抑制すること
ができるので、前記前面パネルの意匠性を高めることができる。また、前記リブに貫通孔
を設けて弾性力を調整しているので、前記面押しボタンが元に戻るときに前記前面パネル
の背面への衝撃を緩衝することができ、それだけ、前記面押しボタンの破損、破壊等を防
ぎ、耐久性を上げることができる。
【００３３】
上記目的を達成するために本考案は、１個又は複数個の貫通孔が形成された前面パネル
を有する電子機器において、一部が前記前面パネルの貫通孔から露出する１個又は複数個
の面押し部と、前記面押し部と一体に形成され、傾くことでスイッチを押圧する１個又は
複数個のスイッチ押圧部と、前記スイッチ押圧部に垂直に取り付けられ、前記１個又は複
数個の面押し部及び前記１個又は複数個のスイッチ押圧部と支持する支持部と、前記支持
部は前記前面パネルの背面に形成されたボスが貫通する１個又は複数個のボス孔と、前記
スイッチ押圧部と前記ボス孔とを連結し弾性力を調整する貫通孔が形成された第１ヒンジ
とを有し、前記各スイッチ押圧部の前記支持部が連結するのと反対側に、前記前面パネル
の背面と接触するパネル接触部と、前記パネル接触部と前記スイッチ押圧部とを連結し弾
性力を調整する貫通孔を備えた第２ヒンジとを有するリブを設けたことを特徴とする面押
しボタンを提供する。
【００３４】
この構成によると、前記リブによって前記面押しボタンが面押し部側に傾くのを防ぐこ
とができる。このことにより、前記面押しボタンの傾きによる、前記面押し部と前記前面
パネルの貫通孔の中心がずれるのを抑制することができる。また、隣り合う面押し部同士
の並び位置がずれるのを抑制することができる。
【００３５】
以上により、特殊な部材を追加することなく、前記面押しボタンの傾きを抑制すること
ができるので、前記前面パネルの意匠性を高めることができる。また、前記リブに貫通孔
を設けて弾性力を調整しているので、前記面押しボタンが元に戻るときに前記前面パネル
の背面への衝撃を緩衝することができ、それだけ、前記面押しボタンの破損、破壊等を防
ぎ、耐久性を上げることができる。
【００３６】
上記目的を達成するために本考案は、１個又は複数個の貫通孔が形成された前面パネル
を有する電子機器であって、一部が前記前面パネルの貫通孔から露出する１個又は複数個
の面押し部と、前記面押し部と一体に形成され、前記面押し部と反対側の端部でスイッチ
を押圧する１個又は複数個のスイッチ押圧部と、前記スイッチ押圧部に垂直に取り付けら
れ、前記１個又は複数個の面押し部及び前記１個又は複数個のスイッチ押圧部とを支持す
る支持部と、前記支持部は前記前面パネルの背面に形成されたボスが貫通する１個又は複
数個のボス孔と、前記スイッチ押圧部と前記ボス孔とを連結し弾性力を調整する貫通孔が
形成された第１ヒンジとを有し、前記各スイッチ押圧部の前記支持部が連結するのと反対
側に、前記前面パネルの背面と接触するパネル接触部と、前記パネル接触部と前記スイッ
チ押圧部とを連結し弾性力を調整する貫通孔を備えた第２ヒンジとを有するリブを設けた
ことを特徴とする面押しボタンを提供する。
【００３７】
この構成によると、前記リブによって前記面押しボタンが面押し部側に傾くのを防ぐこ
とができる。このことにより、前記面押しボタンの傾きによる、前記面押し部と前記前面
パネルの貫通孔の中心がずれるのを抑制することができる。また、隣り合う面押し部同士
の並び位置がずれるのを抑制することができる。
【００３８】
以上により、特殊な部材を追加することなく、前記面押しボタンの傾きを抑制すること
ができるので、前記前面パネルの意匠性を高めることができる。また、前記リブに貫通孔
を設けて弾性力を調整しているので、前記面押しボタンが元に戻るときに前記前面パネル
の背面への衝撃を緩衝することができ、それだけ、前記面押しボタンの破損、破壊等を防
ぎ、耐久性を上げることができる。
【００３９】
上記構成において前記第２ヒンジの弾性力を調整する方法として第２ヒンジの厚みを薄
くするものであってもよい。
【考案の効果】
【００４０】
本考案によると、部材を追加することなく、面押しボタンの傾きを抑え、面押し部が前
面パネルの貫通孔からずれて配置されるのを防ぐことができる面押しボタン及び面押しボ
タンを用いた電子機器を提供することができる。
【００４１】
また、本考案によると、部材を追加することなく、位置決め精度を上げることができ、
それだけ、取り付け作業の手間を省き、短時間に製造することができる面押しボタン及び
面押しボタンを用いた電子機器を提供する。
【考案を実施するための最良の形態】
【００４２】
以下に本考案の実施形態を図面を参照して説明する。図１に本考案にかかる電子機器の
一例の正面図を、図２に図１に示す電子機器の断面図を、図３に本考案にかかる面押しボ
タンを前面パネルから取り外したときの正面図を示す。図１に示す電子機器はそれには限
定されないが、ここではＶＴＲである。図１に示すＶＴＲは、電源ボタン１（１ｐ）と、
ビデオカセットの投入口Ｉｈと、ビデオカセットを排出するためのカセット排出ボタン１
（１ｅ）と、ＶＴＲの動作状態を示す情報表示窓Ｉｆと、巻き戻しボタン１（１ａ）と、
再生（一時停止）ボタン１（１ｂ）と、停止ボタン１（１ｃ）と、早送りボタン１（１ｄ
）と、前面パネル２とを備えている。
【００４３】
電源ボタン１ｐ、カセット排出ボタン１ｅ、巻き戻しボタン１ａ、再生ボタン１ｂ、停
止ボタン１ｃ及び早送りボタン１ｄは面押しボタン１で形成されており、各ボタンを押す
ことでボタンに関連付けられている動作を行うものである。
【００４４】
図２に示すＶＴＲは前面パネル２と、前記前面パネル２の背面２０に取り付けられた面
押しボタン１（ここでは、図１に示す再生（一時停止）ボタン１ｂ）と、基板３と、基板
３の上に実装されているスイッチ４とを有している。
【００４５】
前面パネル２には、面押しボタン１の後述の面押し部１１が貫通する貫通孔２１と、面
押しボタン１を前面パネルに固定するためのボス２２とを有している。ボス２２はそれに
は限定されないが、ここでは貫通孔２１の下方に配置されている。
【００４６】
面押しボタン１は、前面パネル２の貫通孔２１から貫通する面押し部１１と、面押し部
１１と一体的に連結するスイッチ押圧部１２と、スイッチ押圧部１２に取り付けられた支
持部１３と、スイッチ押圧部１２の支持部１３の反対側に取り付けられたリブ１４とを備
えている。
【００４７】
面押し部１１は前面パネル２の貫通孔２１を貫通し、先端部１１１がＶＴＲの外部に露
出している。スイッチ押圧部１２は面押し部１１と反対に延びる形状を有しており、面押
し部１１と連結し、スイッチ４を押圧するＬ字状の底板１２１と、底板１２１の中央に一
体的に取り付けられた補強板１２２とを有している。  また、スイッチ押圧部１２の下方
には基板３上に実装されたスイッチ４が配置されている。スイッチ４とスイッチ押圧部１
２との間はわずかな隙間が形成されている。
【００４８】
図３に示すように、支持部１３は隣り合う面押し部１１及びスイッチ押圧部１２が均一
に並ぶように支持するとともに連結する支持底部１３１を有している。支持部１３は支持
底部１３１に形成され、前面パネル２の背面２０に形成されたボス２２に外嵌するボス孔
１３２と、ボス孔１３２とスイッチ押圧部１２の底板１２１とを連結する第１ヒンジ１３
３とを備えている。面押しボタン１はボス２２の先端を溶融しボス孔１３２に溶着するこ
とで、前面パネル２の背面２０に固定する。また、図３に示すように支持部１３の両端部
１３０Ｌ、１３０Ｒに前記第１ヒンジ１３３が延びるのと同じ方向に延び、前面パネル２
の背面２０に接触する傾き防止部１３４が形成されている。
【００４９】
リブ１４はスイッチ押圧部１２のＬ字状底板１２１の上側端部１２０に一体に形成され
ており、前面パネル２の背面２０と接触するパネル接触部１４１と、パネル接触部１４１
と底板１２１の上側端部１２０とを連結する第２ヒンジ１４２とを有している。
【００５０】
図３に示すように第１ヒンジ１３３及び第２ヒンジ１４２には貫通孔１３５、１４３が
形成されており、貫通孔１３５、１４３の大きさで第１ヒンジ１３３及び第２ヒンジ１４
２の弾性力を調整している。
【００５１】
次に面押しボタン１の動作を説明する。面押しボタン１は面押し部１１の先端部１１１
が前面パネル２の外側から押圧されると、支持部１３の第１ヒンジ１３３がたわむ。第１
ヒンジ１３３がたわむことでスイッチ押圧部１２が傾いて、底板１２１がスイッチ４を押
圧する。このとき、スイッチ押圧部１２の底板１２１がスイッチ４を押圧したときにスイ
ッチ４より受ける反力によって変形しないように補強板１２２が取り付けられている。
【００５２】
図２に示すように、面押しボタン１はスイッチ押圧部１２が傾くことでスイッチ４を押
圧するものであるので、バランスが悪い。また、面押し部１１には端部１１１の先端を光
らせるためのＬＥＤが配置されていたり（図示を省略）、前面パネル２の貫通孔２１より
外部に露出するので見栄えを良くするため塗装が施されていたりするので、面押し部１１
がスイッチ押圧部１２よりも重くなっていることが多い。このことより、面押しボタン１
は傾きやすい形状に形成されている。
【００５３】
そこで、支持部１３の両端部１３０Ｌ、１３０Ｒには第１ヒンジ１３３と同じ方向に延
び、前面パネル２の背面２０に接触することで、面押しボタン１が面押し部１１側に傾く
のを抑制するための傾き防止部１３４が形成されている。傾き防止部１３４では傾き防止
部１３４から遠い面押しボタン（たとえば、図３では、再生ボタン１ｂ、停止ボタン１ｃ
）の傾きを十分に防止することができない。
【００５４】
そこで、各面押しボタン１（１ａ、1ｂ、１ｃ、１ｄ）のスイッチ押圧部１２のＬ字型
底部１２１の上部１２０にリブ１４を取り付けることで、リブ１４のパネル接触部１４１
が前面パネル２の背面２０に接触することで面押し部１１側に倒れようとする力を支持し
、傾くのを抑制している。これによって、面押しボタン１の面押し部１１の中心と前面パ
ネル２の貫通孔２１の中心との位置を適正に保つことができる。また、リブ１４の第２ヒ
ンジ１４２に貫通孔１４３を設けて、弾性力を調整しているので、リブ１４と前面パネル
２の背面２０との接触の衝撃を緩衝することができる。
【００５５】
また、面押しボタン１を前面パネル２の背面２０に配置するときに、支持部１３のボス
孔１３２をボス２２に外嵌し、リブ１４のパネル接触部１４１が前面パネル２の背面２０
に接触することで、面押し部１１の端部１１１と前面パネル２の貫通孔２１との相対位置
の位置決めを容易に行うことが可能である。それだけ、電子機器（ここでは、ＶＴＲ）の
生産時間を短縮することができる。
【００５６】
上記実施例では、スイッチ押圧部１２が回転することでスイッチ４を押すものを例示し
ているが、それに限定されるものではなく、スイッチ押圧部１２の面押し部１１と連結す
るのと反対側の端部がスイッチ４を押圧するものであっても良い。
【００５７】
また、本考案にかかる面押しボタン１１として巻き戻しボタン１ａ、再生ボタン１ｂ、
停止ボタン１ｃ、早送りボタン１ｄを例に４個連結されている面押しボタンを例に説明し
ているがそれに限定されるものではなく、４個よりも少なくても多くても良い。また、支
持部１３の両端部１３０Ｌ、１３０Ｒに傾き防止部１３４を形成するものが例示されてい
るが、それに限定されるものではなく、面押しボタン１の間に配置されているものであっ
ても良く、どちらか一方の端部に設けられていても良い。また、取り付けられていないも
のであってもよい。面押しボタン１が連結していないものであってもよい。
【産業上の利用可能性】
【００５８】
本考案の面押しボタンは、ＶＴＲ、ＤＶＤ、ＣＤ、ＬＤ等の記録済み媒体から情報を読
み出したり、書込み可能な媒体に情報を記録したりする電子機器において適用することが
できる。
【図面の簡単な説明】
【００５９】
【図１】本考案にかかる電子機器の一例の正面図である。
【図２】図１に示す電子機器の断面図である。
【図３】本考案にかかる面押しボタンを前面パネルから取り外したときの正面図である。
【図４】従来の面押しボタンの断面図である。
【図５】従来の面押しボタンを前面パネルから取り外したときの正面図である。
【符号の説明】
【００６０】
１  面押しボタン
１１  面押し部
１２  スイッチ押圧部
１２１  底板
１２２  補強板
１３  支持部
１３１  支持底部
１３２  ボス孔
１３３  第１ヒンジ
１３４  傾き防止部
１３５  貫通孔
１４  リブ
１４１  パネル接触部
１４２  第２ヒンジ
１４３  貫通孔
２  前面パネル
２１  貫通孔
２２  ボス
３  基板
４  スイッチ
【図１】
0003110012.tif 000003
【図２】
0003110012.tif 000004
【図３】
0003110012.tif 000005
【図４】
0003110012.tif 000006
【図５】
0003110012.tif 000007